(57)【要約】【課題】動きが停止した後も、フィッシュイーターにアピールするルアーの提供。【解決手段】本発明に係るルアー２は、主空洞２４を備えるボディ４と、この主空洞２４内においてこのボディ４に可動に取り付けられ外部からの光を受けて光を放つ揺動部１２と、この主空洞２４が外部と繋がった状態からこの主空洞２４を外部から遮蔽しうる遮蔽機構１８とを備えている。上記ボディ４は、上記揺動部１２からの光が外部から視認できるようになっている。上記揺動部１２は、このルアー２が動作状態から停止状態となった後も動きうる。好ましくは、このルアー２は弾性体１４をさらに備えており、この弾性体１４を介して揺動部１２が上記ボディ４に取り付けられている。【選択図】図２
2020191816.tif 000002
【特許請求の範囲】
【請求項１】
主空洞を備えるボディと、この主空洞内においてこのボディに可動に取り付けられ外部からの光を受けて光を放つ揺動部と、この主空洞が外部と繋がった状態からこの主空洞を外部から遮蔽しうる遮蔽機構とを備えており、
上記ボディが、上記揺動部からの光が外部から視認できるようになっており、
上記揺動部が、このルアーが動作状態から停止状態となった後も動きうるルアー。
【請求項２】
上記揺動部が反射体又は蛍光体である請求項１に記載のルアー。
【請求項３】
上記遮蔽機構が、上記ボディの内部に位置する副空洞と、上記主空洞とこの副空洞とを繋ぐ内気道と、この副空洞と上記ボディの外部とを繋ぐ外気道と、上記内気道が開いた状態からこの内気道を塞ぎうる孔塞ぎ機構とを備え、
上記内気道が開いた状態で、上記主空洞が、この内気道及び上記外気道を通して外部と繋がっており、
上記内気道を塞ぐことで、上記主空洞が外部から遮蔽される請求項１又は２に記載のルアー。
【請求項４】
上記孔塞ぎ機構が、上記副空洞内に位置しネジ孔を有する内蓋と、上記ボディの外側から上記副空洞まで至る孔と、上記ボディの外側からこの孔を通して上記内蓋のネジ孔に挿入されたネジとを備え、
上記ボディの外側から上記ネジを回すことで、上記内蓋が移動して上記内気道を塞ぐことができる、請求項３に記載のルアー。
【請求項５】
上記孔塞ぎ機構が、上記副空洞内に位置し封止板とこの封止板から延びる軸部とを備える内蓋、上記副空洞内で上記ボディに固定され孔を備える支部、及びこの内蓋とこの支部との間に位置する封止バネを備え、
上記軸部が上記支部の孔に挿入され、これにより上記内蓋が移動可能に上記支部に取り付けられており、
上記外気道から上記ボディ内の気体を吸引することによりこの吸引力により上記内蓋が上記内気道と反対側に移動し、これにより上記内気道が開いた状態となり、
上記外気道から上記ボディ内の気体の吸引を止めることにより上記封止バネが上記内蓋を上記内気道側に移動させ、これにより上記封止板が上記内気道を塞ぐことができる、請求項３に記載のルアー。
【請求項６】
上記孔塞ぎ機構が、上記外気道を塞ぐとともに、上記内蓋を抑えて固定しうる外栓をさらに備える、請求項５に記載のルアー。
【請求項７】
上記孔塞ぎ機構が、上記ボディの外側から上記副空洞まで至る孔と、この孔に外側から差し込まれることで上記内気道を塞ぐ内蓋とを備える、請求項３に記載のルアー。
【請求項８】
上記孔に差し込まれた上記内蓋の外面と、上記孔の内面とが接合されている、請求項７に記載のルアー。
【請求項９】
上記ボディが、上記主空洞を備える主部と、この主部に隣接する副部とを備えており、
上記遮蔽機構が、上記副部の内部に位置する副空洞と、上記主部の副部側の壁に設けられ上記主空洞に繋がる主部孔と、上記副部の主部側の壁に設けられ上記副空洞に繋がる副部孔と、上記副空洞と外部とを繋ぐ外気道と、上記副部を上記主部に回転可能に取り付ける取付部とを備え、
上記主部孔と上記副部孔との位置を合わせることで、上記主空洞と上記副空洞を繋ぐ内気道が形成され、これにより上記主空洞が、この内気道及び上記外気道を通して外部と繋がり、
上記副部を回転させて上記副部孔の位置を上記主部孔の位置とずらすことで、上記主空洞とこの副空洞を繋ぐ内気道がなくなり、上記主空洞が外部から遮蔽される請求項１又は２に記載のルアー。
【請求項１０】
上記遮蔽機構が、上記主部と上記副部との間に位置し上記主部孔の開口の周囲を囲むＯリングをさらに備える、請求項９に記載のルアー。
【請求項１１】
上記主空洞が外部から遮蔽されており、この主空洞に、空気より比重の小さい気体が封入されている、請求項１から４及び７から１０のいずれかに記載のルアー。
【請求項１２】
上記主空洞が外部から遮蔽されており、この主空洞が減圧されている、請求項１から１１のいずれかに記載のルアー。
【請求項１３】
弾性体をさらに備えており、
この弾性体を介して上記揺動部が上記ボディに取り付けられている請求項１から１２のいずれかに記載のルアー。
【請求項１４】
上記弾性体がバネ又はゴムである、請求項１３に記載のルアー。
【請求項１５】
上記揺動部が切り込みを有し、この切り込みに上記弾性体の端を挿入することで、上記揺動部が上記弾性体に取り付けられている請求項１３又は１４に記載のルアー。
【請求項１６】
それぞれがボディに取り付けられた第一弾性体及び第二弾性体を備え、
これらの弾性体の間に上記揺動部が取り付けられている、請求項１３から１５のいずれかに記載のルアー。
【請求項１７】
上記第一弾性体及び上記第二弾性体が上下方向に延びており、上記第二弾性体が上記第一弾性体の下方に位置している、請求項１６に記載のルアー。
【請求項１８】
上記第一弾性体及び上記第二弾性体が前後方向に延びており、上記第二弾性体が上記第一弾性体の後方に位置している、請求項１６に記載のルアー。
【請求項１９】
上記揺動部の動く範囲を制限する可動域制限機構を備える、請求項１から１８のいずれかに記載のルアー。
【請求項２０】
上記可動域制限機構が、上記揺動部に設けられた孔と、この孔の内径より小さな外径を有し上記ボディに固定された棒部とを備え、
上記棒部が上記孔に通されており、
上記揺動部が動いたとき、上記孔の内面に前記棒部が接触しうる請求項１９に記載のルアー。
【請求項２１】
上記可動域制限機構が、上記ボディに固定され上記揺動部に向けて延びる板部を備え、
上記揺動部が動いたとき、この揺動部が上記板部と接触しうる、請求項１９又は２０に記載のルアー。
【請求項２２】
主空洞を備えるボディと、この主空洞内においてこのボディに可動に取り付けられ外部からの光を受けて光を放つ揺動部とを備え、
上記ボディが、上記揺動部からの光が外部から視認できるようになっており、
上記揺動部が、このルアーが動作状態から停止状態となった後も動きうるようになっており、
上記主空洞に、空気より比重の小さい気体が封入されているルアー。
【発明の詳細な説明】
【技術分野】
【０００１】
本発明は、釣りに用いられるルアーに関する。
【背景技術】
【０００２】
オオクチバス、ブリ及びその幼魚、スズキ等の大型の魚は、小魚を補食する。これら大型の魚は、フィッシュイーターと称されている。フィッシュイーターを捕獲する手段として、ルアーフィッシングが普及している。ルアーフィッシングでは、小魚等のベイトに疑似されたルアーが用いられる。ルアーは、キャストされることにより空中を飛行し、やがて着水する。ラインが巻かれることで、ルアーは水中を泳ぐ。このルアーをベイトと勘違いしたフィッシュイーターは、ルアーに食いつく。ルアーに取り付けられたフックがフィッシュイーターに刺さり、フィッシュイーターが釣り上げられる。フィッシュイーターがルアーに食いつく頻度は、ヒット率と称される。
【０００３】
ヒット率を上げるため、ルアーには様々な工夫がされている。例えば、ルアーに光沢のある塗装がなされる。このルアーでは、ルアーが動いたときに、光の反射の状態が変化してフィッシュイーターにアピールする。別のルアーは、ボディ内の空間にラトルボールを有する。ルアーが動いたときにこのボールが転動して音を出し、フィッシュイーターにアピールする。ルアーを引いたときに、振動しながら泳ぐルアーも知られている。種々のルアーが、株式会社シマノ発行の「２０１７シマノフィッシングタックルカタログ」に開示されている。
【先行技術文献】
【非特許文献】
【０００４】
【非特許文献１】株式会社シマノ発行の「２０１７シマノフィッシングタックルカタログ」
【発明の概要】
【発明が解決しようとする課題】
【０００５】
ルアーフィッシングでは、釣り人は、ルアーをキャストした後、ラインを引く動作とこの引きを止める動作とを繰り返す。ルアーの引きを止めたとき、止水域や潮流及び波が少ない海域等の、水の動きがほとんどない場所では、ルアーの動きはほぼ停止する。ヒット率を上げるため、このルアーの動きが停止した後も、フィッシュイーターにアピールするルアーが求められている。
【０００６】
本発明の目的は、ルアーの動きが停止した後も、フィッシュイーターにアピールするルアーの提供にある。
【課題を解決するための手段】
【０００７】
本発明に係るルアーは、主空洞を備えるボディと、この主空洞内においてこのボディに可動に取り付けられ外部からの光を受けて光を放つ揺動部と、この主空洞が外部と繋がった状態からこの主空洞を外部から遮蔽しうる遮蔽機構とを備えている。上記ボディは、上記揺動部からの光が外部から視認できるようになっている。上記揺動部は、このルアーが動作状態から停止状態となった後も動きうる。
【０００８】
好ましくは、上記揺動部は反射体又は蛍光体である。
【０００９】
好ましくは、上記遮蔽機構は、上記ボディの内部に位置する副空洞と、上記主空洞とこの副空洞とを繋ぐ内気道と、この副空洞と上記ボディの外部とを繋ぐ外気道と、上記内気道が開いた状態からこの内気道を塞ぎうる孔塞ぎ機構とを備える。上記内気道が開いた状態で、上記主空洞がこの内気道及び上記外気道を通して外部と繋がっており、上記内気道を塞ぐことで、上記主空洞が外部から遮蔽される。
【００１０】
好ましくは、上記孔塞ぎ機構は、上記副空洞内に位置しネジ孔を有する内蓋と、上記ボディの外側から上記副空洞まで至る孔と、上記ボディの外側からこの孔を通して上記内蓋のネジ孔に挿入されたネジとを備える。上記ボディの外側から上記ネジを回すことで、上記内蓋が移動して上記内気道を塞ぐことができる。
【００１１】
上記孔塞ぎ機構が、上記副空洞内に位置し封止板とこの封止板から延びる軸部とを備える内蓋、上記副空洞内で上記ボディに固定され孔を備える支部、及びこの内蓋とこの支部との間に位置する封止バネを備え、上記軸部が上記支部の孔に挿入され、これにより上記内蓋が移動可能に上記支部に取り付けられており、上記外気道からボディ内の気体を吸引することによりこの吸引力により上記内蓋が上記内気道と反対側に移動し、これにより上記内気道が開いた状態となり、上記外気道からボディ内の気体の吸引を止めることにより上記封止バネが上記内蓋を上記内気道側に移動させ、これにより上記封止板が上記内気道を塞ぐことができるようになっていてもよい。このとき、好ましくは、上記孔塞ぎ機構は、上記外気道を塞ぐとともに、上記内蓋を抑えて固定しうる外栓をさらに備える。
【００１２】
上記孔塞ぎ機構が、上記ボディの外側から上記副空洞まで至る孔と、この孔に外側から差し込まれることで上記内気道を塞ぐ内蓋とを備えていてもよい。このとき、好ましくは上記孔に差し込まれた上記内蓋の外面と、上記孔の内面とが接合されている。
【００１３】
上記ボディが、上記主空洞を備える主部と、この主部に隣接する副部とを備えており、上記遮蔽機構が、上記副部の内部に位置する副空洞と、上記主部の副部側の壁に設けられ上記主空洞に繋がる主部孔と、上記副部の主部側の壁に設けられ上記副空洞に繋がる副部孔と、上記副空洞と外部とを繋ぐ外気道と、上記副部を上記主部に回転可能に取り付ける取付部とを備え、上記主部孔と上記副部孔との位置を合わせることで、上記主空洞と上記副空洞を繋ぐ内気道が形成され、これにより上記主空洞が、この内気道及び上記外気道を通して外部と繋がり、上記副部を回転させて上記副部孔の位置を上記主部孔の位置とずらすことで、上記主空洞とこの副空洞を繋ぐ内気道がなくなり、上記主空洞が外部から遮蔽されるようになっていてもよい。このとき、好ましくは、上記遮蔽機構は、上記主部と上記副部との間に位置し上記主部孔の開口の周囲を囲むＯリングをさらに備える。
【００１４】
好ましくは、上記主空洞が外部から遮蔽されており、この主空洞に、空気より比重の小さい気体が封入されている。
【００１５】
好ましくは、上記主空洞が外部から遮蔽されており、この主空洞が減圧されている。
【００１６】
好ましくは、このルアーは弾性体をさらに備えており、この弾性体を介して上記揺動部が上記ボディに取り付けられている。
【００１７】
好ましくは、上記弾性体はバネ又はゴムである。
【００１８】
好ましくは、上記揺動部が切り込みを有し、この切り込みに上記弾性体の端を挿入することで、上記揺動部が上記弾性体に取り付けられている。
【００１９】
好ましくは、このルアーは、それぞれがボディに取り付けられた第一弾性体及び第二弾性体を備え、これらの弾性体の間に上記揺動部が取り付けられている。
【００２０】
好ましくは、上記第一弾性体及び上記第二弾性体は上下方向に延びており、上記第二弾性体は上記第一弾性体の下方に位置している。上記第一弾性体及び上記第二弾性体が前後方向に延びており、上記第二弾性体が上記第一弾性体の後方に位置していてもよい。
【００２１】
好ましくは、このルアーは、上記揺動部の動く範囲を制限する可動域制限機構を備える。
【００２２】
好ましくは、上記可動域制限機構は、上記揺動部に設けられた孔と、この孔の内径より小さな外径を有し上記ボディに固定された棒部とを備えている。上記棒部は、上記孔に通されている。上記揺動部が動いたとき、上記孔の内面に前記棒部が接触しうる。
【００２３】
好ましくは、上記可動域制限機構は、上記ボディに固定され上記揺動部に向けて延びる板部を備えている。上記揺動部が動いたとき、この揺動部が上記板部と接触しうる。
【００２４】
本発明に係るルアーは、主空洞を備えるボディと、この主空洞内においてこのボディに可動に取り付けられ外部からの光を受けて光を放つ揺動部とを備える。上記ボディは、上記揺動部からの光が外部から視認できるようになっている。上記揺動部は、このルアーが動作状態から停止状態となった後も動きうるようになっている。上記主空洞に、空気より比重の小さい気体が封入されている。
【発明の効果】
【００２５】
本発明に係るルアーは、ボディの主空洞内に可動に取り付けられた、外部からの光を受けて光を放つ揺動部を備える。この揺動部からの光は、外部から視認できる。この揺動部は、このルアーが動作状態から停止状態となった後もしばらく動きうる。揺動部からの光の見え方は、このルアーが停止状態となった後も、変化する。これは、フィッシュイーターにアピールする。
【００２６】
さらにこのルアーは、主空洞が外部と繋がった状態からこの主空洞を外部から遮蔽しうる遮蔽機構を備えている。主空洞内の気体を外部から吸引し、この状態で主空洞を外部から遮蔽することで、この主空洞の内圧を大気圧より減圧することができる。または、主空洞内に空気より比重の小さい気体を送り込み、この状態で主空洞を外部から遮蔽することで、この主空洞にこの気体を封入することができる。これらの主空洞内では、揺動部が動くとき揺動部が主空洞内の気体から受ける抵抗が少ないため、揺動部はより長い時間動くことができる。このルアーでは、ルアーの動きが停止した後も、効果的にフィッシュイーターにアピールしうる。
【図面の簡単な説明】
【００２７】
【図１】図１は、本発明の一実施形態に係るルアーが示された側面図である。
【図２】図２は、図１のルアーを左右の部分に分割したときの右側部分が示された分解図である。
【図３】図３は、図２の一部が拡大された図である。
【図４】図４は、図３のIV−IV線に沿った断面図である。
【図５】図５は、図２の一部が拡大された図である。
【図６】図６は、図２のルアーの主空洞が外部と繋がった状態が示された図である。
【図７】図７は、本発明の他の実施形態に係るルアーを左右の部分に分割したときの右側の前側部分が示された分解図である。
【図８】図８は、図７の一部が拡大された図である。
【図９】図９は、図７のルアーの後側部分が示された断面図である。
【図１０】図１０（Ａ）は図９のルアーの主空洞が外部と繋がった状態が示された断面図であり、図１０（Ｂ）はこのルアーの主空洞が外部と遮断された状態が示された断面図である。
【図１１】図１１（Ａ）は本発明のさらに他の実施形態に係るルアーの主空洞が外部と繋がった状態が示された断面図であり、図１１（Ｂ）はこのルアーの主空洞が外部と遮断された状態が示された断面図である。
【図１２】図１２（Ａ）は本発明のさらに他の実施形態に係るルアーの主空洞が外部と繋がった状態が示された断面図であり、図１２（Ｂ）はこのルアーの主空洞が外部と遮断された状態が示された断面図である。
【図１３】図１３は、本発明のさらに他の実施形態に係るルアーを左右の部分に分割したときの右側の前側部分が示された分解図である。
【発明を実施するための形態】
【００２８】
以下、適宜図面が参照されつつ、好ましい実施形態に基づいて本発明が詳細に説明される。
【００２９】
［第一の実施形態］
【００３０】
図１は、本発明の一実施形態に係るルアー２が示された側面図である。図１において、矢印Ｘが示す方向がこのルアー２の前方であり、その反対がルアー２の後方である。矢印Ｚが示す方向がこのルアー２の上方であり、その反対がルアー２の下方である。紙面と垂直な方向がこのルアー２の左右方向である。矢印Ｘ及びＺは、図２及び３でも同じ意味を表す。図１で示されるように、このルアー２は、ボディ４、ラインアイ６、フックアイ８及びフック１０を備えている。
【００３１】
図２は、図１のルアー２を左右の部分に分割したときの右側部分が示された分解図である。この図は、ルアー２の左半分を取り外した図である。この図では、ルアー２の内部構造が見えている。図２では、分かり易いように、ルアー２の左半分を取り付けたときこの左半分と接触する部分には、ハッチがかけられている。このルアー２は、揺動部１２、弾性体１４、可動域制限機構１６、遮蔽機構１８及び図示されない錘をさらに備えている。なお、図２では、ラインアイ６、フックアイ８及びフック１０は、省略されている。
【００３２】
ボディ４は、ベイトである小魚に類似の外形を有する。ボディ４は、硬質な材料から形成されている。典型的には、ボディ４は、合成樹脂組成物から形成されている。ボディ４が、エラストマーのような軟質な材料から形成されてもよい。ボディ４は、ヘッド２０及びテール２２を備える。図２に示されるように、ボディ４は、内部に主空洞２４を備える。このボディ４は、この主空洞２４に光を通す程度に透明性を有する。図１では描かれていないが、主空洞２４内の揺動部１２は外部から視認できる。このボディ４では、この揺動部１２からの光が外部から視認できる。
【００３３】
ボディ４は、内面（主空洞２４の外面）から左右方向に延びる、掛け棒２６を備える。後述するとおり、掛け棒２６には、弾性体１４を介して揺動部１２が取り付けられている。この実施形態では、主空洞２４の上面側に３つの掛け棒２６が設けられ、主空洞２４の下面側に３つの掛け棒２６が設けられている。
【００３４】
ラインアイ６は、ヘッド２０の前端に取り付けられている。フックアイ８はボディ４の中央近辺及びテール２２に取り付けられている。ラインアイ６及びフックアイ８は、金属線が曲げられて形成されている。この金属線の両端は、ボディ４に埋め込まれている。ラインアイ６及びフックアイ８は、ボディ４に堅固に固定されている。ラインアイ６には、ライン２８が取り付けられる。それぞれのフックアイ８には、フック１０が取り付けられている。この実施形態では、フック１０の数は、２である。
【００３５】
図２に示されるように、揺動部１２は、主空洞２４の内部に位置する。複数の揺動部１２が、前後方向に並んでいる。この実施形態では、第一揺動部１２ａ、第二揺動部１２ｂ及び第三揺動部１２ｃの３個の揺動部１２が、主空洞２４内に位置している。それぞれの揺動部１２は、板状である。図３には、図２の第二揺動部１２ｂの近辺が、拡大されて示されている。揺動部１２は、厚み方向に貫通する孔３０を備える。この実施形態では、それぞれの揺動部１２は、二つの孔３０を備える。
【００３６】
揺動部１２は、外部からの光を受けて光を放つ。この実施形態では、揺動部１２は、反射体である。すなわち、揺動部１２の表面は光を反射する。揺動部１２の表面は、光沢を有する。揺動部１２の表面に、着色や模様が施されてもよい。揺動部１２は、典型的には合成樹脂組成物から形成されている。揺動部１２が金属から形成されていてもよい。典型的な揺動部１２として、ホロプレートが例示される。揺動部１２が、蛍光体であってもよい。
【００３７】
図３に示されるように、揺動部１２は、その上端側と下端側とに窪み３２を備えている。揺動部１２には、それぞれの窪み３２の底から延びる切り込み３４が設けられている。図３で示されるように、窪み３２の底の前方の端から延びる第一切り込み３４ａと、後方の端から延びる第二切り込み３４ｂとが設けられている。第一切り込み３４ａと第二切り込み３４ｂとで区切られた部分は、固定部３６と称される。固定部３６は、窪み３２の底に露出した頭部３８と、頭部３８より幅の狭い首部４０とを備えている。
【００３８】
弾性体１４は、主空洞２４の内部に位置している。この実施形態では、弾性体１４はバネ１４である。図２に示されるように、揺動部１２の上側に位置する第一バネ１４ａと、揺動部１２の下側に位置する第二バネ１４ｂとが存在する。この実施形態では、第一バネ１４ａの数及び第二バネ１４ｂの数は、それぞれ３である。第一バネ１４ａ及び第二バネ１４ｂのそれぞれは、上下方向に延びている。
【００３９】
図２及び図３で示されるように、それぞれの第一バネ１４ａの上端は、掛け棒２６に掛けられている。第一バネ１４ａの下端は、上辺側の切り込み３４に挿入されている。第一バネ１４ａの下端は、上辺側の固定部３６の首部４０に掛けられている。それぞれの第二バネ１４ｂの下端は、掛け棒２６に掛けられている。第二バネ１４ｂの上端は、下辺側の切り込み３４に挿入されている。第二バネ１４ｂの上端は、下辺側の固定部３６の首部４０に掛けられている。揺動部１２は、第一バネ１４ａと第二バネ１４ｂとの間に取り付けられている。揺動部１２は、これらのバネ１４により、ボディ４に対して振動しうる。揺動部１２は、このバネ１４により前後上下左右に揺れ動くことができる。揺動部１２は、バネ１４によりボディ４に対して可動となっている。揺動部１２は、バネ１４を介して、ボディ４に可動に取り付けられている。
【００４０】
図４は、図３のIV−IV線に沿った断面である。図４において、矢印Ｘが示す方向がこのルアー２の前方であり、その反対がルアー２の後方である。矢印Ｙが示す方向がこのルアー２の右方向であり、その反対がルアー２の左方向である。紙面と垂直な方向がこのルアー２の上下方向である。
【００４１】
この実施形態では、可動域制限機構１６として、板部４２が設けられている。図４に記されるように、第一板部４２ａ及び第二板部４２ｂが存在する。それぞれの板部４２は板状である。第二揺動部１２ｂの上下方向の中央近辺において、第一板部４２ａは、ボディ４の右側の内面から第二揺動部１２ｂに向けて突出している。第二揺動部１２ｂの上下方向の中央近辺において、第二板部４２ｂは、ボディ４の左側の内面から、第二揺動部１２ｂに向けて突出している。第二揺動部１２ｂは、第一板部４２ａの第二揺動部１２ｂ側の端と、第二板部４２ｂの第二揺動部１２ｂ側の端との隙間に位置している。図示されないが、第一揺動部１２ａ及び第三揺動部１２ｃも、それぞれ第一板部４２ａと第二板部４２ｂとの隙間に位置している。ルアー２が泳ぐ通常の姿勢において揺動部１２が静止しているときは、揺動部１２は板部４２と接触していない。揺動部１２が動くと、揺動部１２は板部４２と接触しうる。板部４２は、揺動部１２の左右方向の可動範囲を制限する。板部４２は、ボディ４の外部から、揺動部１２が視認できる程度に透明性を有する。
【００４２】
この実施形態では、可動域制限機構１６として、さらに前述の揺動部１２に設けられた孔３０及び棒部４４が設けられている。棒部４４は、ボディ４に固定されている。棒部４４は、主空洞２４内で、左右方向に架け渡されている。棒部４４は、揺動部１２の孔３０に通されている。それぞれの揺動部１２のそれぞれの孔３０に、棒部４４が通されている。棒部４４の外径は、揺動部１２の孔３０の内径より小さい。ルアー２が泳ぐ通常の姿勢において揺動部１２が静止しているときは、棒部４４は、揺動部１２の孔３０の内面と接触していない。揺動部１２が動くと、揺動部１２は棒部４４の孔３０の内面と接触しうる。棒部４４は、揺動部１２の前後上下方向の可動範囲を制限する。それぞれの棒部４４は、ボディ４の外部から、揺動部１２が視認できる程度に透明性を有する。
【００４３】
図５には、図２のボディ４のテール２２の部分が拡大されて示されている。遮蔽機構１８は、ボディ４のテール２２の部分に設けられている。この実施形態では、遮蔽機構１８は、副空洞４６と、内気道４８と、外気道５０と、孔塞ぎ機構５２とを備える。
【００４４】
副空洞４６は、ボディ４のテール２２の内部に位置している。副空洞４６は、主空洞２４に隣接している。主空洞２４と副空洞４６とを隔てる壁は、遮蔽壁５４と称される。換言すれば、ボディ４は、遮蔽壁５４をさらに備えている。副空洞４６は、前部５６と後部５８と中間気道６０とを備えている。前部５６は、主空洞２４と隣接している。後部５８は、前部５６の後方に位置している。中間気道６０は、前部５６と後部５８との間に位置している。中間気道６０は、前部５６と後部５８とを繋ぐ孔である。
【００４５】
内気道４８は、主空洞２４と副空洞４６との間に位置する。内気道４８は、遮蔽壁５４を貫通している。内気道４８は、主空洞２４と副空洞４６とを繋ぐ孔である。外気道５０は、副空洞４６の後方に位置する。外気道５０は、副空洞４６と外部とを繋ぐ孔である。主空洞２４は、内気道４８、副空洞４６及び外気道５０を通して、外部と繋がることができる。
【００４６】
孔塞ぎ機構５２は、内蓋６２、ネジ６４及びボディ４に設けられた孔６６から構成されている。内蓋６２は、副空洞４６内に位置する。内蓋６２は、前面が遮蔽壁５４に沿っている。内蓋６２の前面は、遮蔽壁５４と接触している。図示されないが、内蓋６２は、上面から下方に延びるネジ孔を備える。ネジ孔の内面には、ネジ溝が設けられている。孔６６は、このネジ孔の上方に設けられている。孔６６は、外部から副空洞４６に至っている。ネジ６４は、頭部６７と胴部６８とを備える。頭部６７の外径は、胴部６８の外径より大きい。胴部６８の外周には、ネジ溝が設けられている。ネジ６４は、外側から孔６６に差し込まれている。胴部６８は、この孔６６を貫通し、内蓋６２のネジ孔に挿入されている。頭部６７は、外面に露出している。このネジ６４は、外部から回転させることができる。外部からネジ６４を回転させたとき、内蓋６２は遮蔽壁５４に接触しているため回転しない。ネジ６４を回すことで、内蓋６２は上下方向に移動する。ネジ６４、内蓋６２及び遮蔽壁５４は、いわゆるボールネジを構成する。
【００４７】
このルアー２では、内蓋６２を上下させることで、主空洞２４が外部から遮蔽された状態と、主空洞２４が外部と繋がった状態との切り替えができる。図５では、内蓋６２は内気道４８の後方に位置している。この状態では、内蓋６２は内気道４８を塞いでいる。主空洞２４は、外部から遮蔽されている。図６では、ネジ６４を回すことで、内蓋６２は上方向に移動している。この状態では、内蓋６２は内気道４８を塞いでいない。内気道４８は、開いている。主空洞２４は副空洞４６と繋がっており、副空洞４６は、外気道５０を通して外部と繋がっている。この状態では、主空洞２４は、内気道４８、副空洞４６及び外気道５０を通して、外部と繋がっている。
【００４８】
このルアー２では、遮蔽機構１８を使用することで、主空洞２４の内圧を大気圧より下げることができる。このために、図示されない真空器が使用される。図６に示された、主空洞２４が外部と繋がっている状態で、真空器を使用して、外気道５０から主空洞２４内部の空気を吸引する。これにより、主空洞２４は減圧される。この状態で、ネジ６４を回して内蓋６２を下方に下げる。図５で示されるように、内蓋６２が内気道４８を塞ぐことで、主空洞２４は外部から遮蔽される。遮蔽機構１８は、主空洞２４が外部と繋がった状態から、主空洞２４を外部から遮蔽する。これにより、真空器を外しても主空洞２４が減圧された状態で維持される。このルアー２では、主空洞２４が大気圧より減圧された状態が維持されうる。真空器としては、市販の電動真空ポンプ、手動真空ポンプ等が使用できる。
【００４９】
このルアー２では、遮蔽機構１８を使用することで、主空洞２４に、空気より比重が小さい気体（低比重ガスと称される）を封入することができる。このために、図示されない真空器及び低比重ガスが格納されたボンベが使用される。図６に示された、主空洞２４が外部と繋がっている状態で、真空器を使用して、外気道５０から主空洞２４内部の空気を吸引する。ネジ６４を回して内蓋６２を下方に下げる。図５で示されるように、内蓋６２が内気道４８を塞ぐことで、主空洞２４は外部から遮蔽される。この状態で、ボンベを外気道５０に繋ぐ。ネジ６４を回して内蓋６２を上方に上げ、ボンベから主空洞２４に低比重ガスを充填する。このとき、通常は、主空洞２４の内圧は、大気圧と同等か、又は大気圧より小さくされる。再びネジ６４を回して内蓋６２を下方に下げる。これにより、低比重ガスが主空洞２４内に封入される。低比重ガスとして、ヘリウムガスが例示される。
【００５０】
このルアー２では、主空洞２４内の気圧が、通常の大気圧と比べて減圧されうる。または、主空洞２４内に、低比重ガスが封入されうる。このルアー２では、この状態を保つために、ボディ４の右側半分と左側半分とは、溶着または接着される。ボディ４の右側半分と左側半分との接触部分が、ラバーでシールされていてもよい。
【００５１】
図示されない錘は、主空洞２４内に位置する。錘は、ルアー２を泳がせたときの、ルアー２の姿勢を整える。
【００５２】
以下、本発明の作用効果が説明される。
【００５３】
本発明に係るルアー２は、ボディ４の主空洞２４内に、外部からの光を受けて光を放つ揺動部１２を備える。この揺動部１２は、反射体である。揺動部１２の表面は、光を反射する。ボディ４は、主空洞２４内に光を通す程度に透明性を有する。揺動部１２が反射した光は、外部から視認されうる。揺動部１２が反射した光は、フィッシュイーターにアピールする。このルアー２では、高いヒット率が期待できる。
【００５４】
このルアー２の揺動部１２は、バネ１４を介してボディ４に取り付けられている。釣り人がルアー２を引いたとき、水や潮の流れが速いとき等のルアー２の動作状態において、このバネ１４により揺動部１２は前後上下左右に揺れ動く。この揺動部１２の動きにより、光の反射の状態が変化する。揺動部１２が放つ光の見え方が変化する。揺動部１２は、瞬いているように見える。これは、フィッシュイーターに効果的にアピールする。このルアー２では、高いヒット率が期待できる。
【００５５】
このルアー２の揺動部１２は、バネ１４を介してボディ４に可動に取り付けられている。釣り人がルアー２を引くのを止めたとき、水や潮の流れが止まったとき等の、ルアー２が動作状態から停止状態となったときも、このバネ１４はしばらく動く。この揺動部１２は、ルアー２が動作状態から停止状態となったときも、しばらく前後上下左右に揺れ動く。このときも、揺動部１２は瞬いているように見える。この揺動部１２は、ルアー２が停止状態となった後も、しばらくフィッシュイーターに効果的にアピールする。このルアー２では、高いヒット率が期待できる。
【００５６】
このルアー２は、主空洞２４が外部と繋がった状態からこの主空洞２４を外部から遮蔽しうる遮蔽機構１８を備えている。主空洞２４内の気体を外部から吸引し、この状態で主空洞２４を外部から遮蔽することで、この主空洞２４の内圧を大気圧より減圧することができる。減圧された主空洞２４内では、外部と比べて空気抵抗が小さい。揺動部１２は、ルアー２が停止状態となった後も、より長い時間動くことができる。このルアー２では、ルアー２の動きが停止した後も、効果的にフィッシュイーターにアピールしうる。
【００５７】
このルアー２は、主空洞２４が外部と繋がった状態からこの主空洞２４を外部から遮蔽しうる遮蔽機構１８を備えている。主空洞２４内に低比重ガスを充填し、この状態で主空洞２４を外部から遮蔽することで、主空洞２４に低比重ガスを封入することができる。この主空洞２４内では、内圧が大気圧と同等であっても、揺動部１２が動くとき揺動部１２が低比重ガスから受ける抵抗は、揺動部１２が大気中で同様の動きをする際に受ける空気抵抗より小さい。主空洞２４の内圧が大気圧と同等であっても、揺動部１２は、ルアー２が停止状態となった後も、より長い時間動くことができる。主空洞２４の内圧を大気圧より低くすることで、揺動部１２は、ルアー２が停止状態となった後も、さらに長い時間動くことができる。このルアー２では、ルアー２の動きが停止した後も、効果的にフィッシュイーターにアピールしうる。
【００５８】
バネ１４の強さは、揺動部１２の重さにより調節される。バネ１４が強いと、揺動部１２を取り付けてもバネ１４はほとんど伸縮しない。バネ１４が弱いと、揺動部１２を取り付けたとき、揺動部１２の上側に位置するバネ１４は伸びきった状態となり、揺動部１２の下側に位置するバネ１４は縮みきった状態となる。いずれも振動が起きにくく、また振動が継続する時間も短くなる。バネ１４の強さは、振動が長く継続するように、適切に調節される。これにより、このルアー２では、高いヒット率が期待できる。
【００５９】
揺動部１２は、第一バネ１４ａと第二バネ１４ｂとの間に取り付けられるのが好ましい。この実施形態では、揺動部１２は、上下から第一バネ１４ａと第二バネ１４ｂとに挟まれている。このようにすることで、揺動部１２の揺れが大きくなり過ぎることが抑えられている。この揺動部１２は、高い周波数で揺れることができる。揺動部１２は、瞬いているように見える。これは、フィッシュイーターにより効果的にアピールする。このルアー２では、高いヒット率が期待できる。
【００６０】
前述のとおり、揺動部１２が切り込み３４を有し、バネ１４の端をこの切り込み３４に挿入することで、揺動部１２にバネ１４が取り付けられるのが好ましい。このようにすることで、バネ１４が揺動部１２から外れることが効果的に防止されている。
【００６１】
このルアー２では、可動域制限機構１６を備えるのが好ましい。この実施形態では、可動域制限機構１６として、板部４２が設けられている。弾性体１４が左右に揺れたとき、この弾性体１４は板部４２と接触しうる。板部４２は、弾性体１４の左右方向の可動範囲を制限する。さらに可動域制限機構１６としてとして、揺動部１２の孔３０に通された棒部４４が設けられている。弾性体１４が前後上下に揺れたとき、揺動部１２の孔３０の内面が棒部４４に接触する。棒部４４は、弾性体１４の前後上下方向の可動範囲を制限する。これらの可動域制限機構１６により、揺動部１２が大きく動くことで、揺動部１２が主空洞２４内部の構造物に挟まることや、この構造物に引っかかることが防止される。揺動部１２が、通常ではない位置で固定されることが防止される。さらに、これらの可動域制限機構１６により、揺動部１２の揺れが大きくなり過ぎることが抑えられている。この揺動部１２は、高い周波数で揺れることができる。揺動部１２は、瞬いているように見える。これは、フィッシュイーターにより効果的にアピールする。このルアー２では、高いヒット率が期待できる。
【００６２】
上記のとおり、揺動部１２は、ルアー２が動作状態から停止状態となったときも、しばらく前後上下左右に揺れ動く。このルアー２が振動する時間は、３秒以上が好ましく、５秒以上がより好ましく、１０秒以上がさらに好ましい。
【００６３】
［第二の実施形態］
【００６４】
図７には、本発明の他の実施形態に係るルアー７０が示されている。図７は、ルアー７０を左右の部分に分割したときの右側部分の、前方部分が拡大された分解図である。この図では、ルアー７０の左半分を取り付けたときこの左半分と接触する部分には、ハッチがかけられている。図７において、矢印Ｘが示す方向がこのルアー７０の前方であり、その反対がルアー７０の後方である。矢印Ｚが示す方向がこのルアー７０の上方であり、その反対がルアー７０の下方である。紙面と垂直な方向がこのルアー７０の左右方向である。
【００６５】
このルアー７０は、ボディ７２、リップ７４、揺動部７６、弾性体７８、可動域制限機構８０及び後述する遮蔽機構８２を備えている。図示されないが、このルアー７０は、ラインアイ、フックアイ、フック及び錘をさらに備える。
【００６６】
ボディ７２は、ベイトである小魚に類似の外形を有する。ボディ７２は、硬質な材料から形成されている。典型的には、ボディ７２は、合成樹脂組成物から形成されている。ボディ７２が、エラストマーのような軟質な材料から形成されてもよい。図７に示されるように、ボディ７２は、内部に主空洞８４を備える。このボディ７２は、この主空洞８４に光を通す程度に透明性を有する。これにより、主空洞８４内の揺動部７６は、外部から視認できる。このボディ７２では、この揺動部７６からの光が外部から視認できる。
【００６７】
ボディ７２は、内面から延びる、掛け棒８６を備える。後述する通り、掛け棒８６には、弾性体７８を介して揺動部７６が取り付けられている。この実施形態では、揺動部７６の前方及び後方のそれぞれに、掛け棒８６が設けられている。
【００６８】
リップ７４は、硬質な材料から形成されている。典型的には、リップ７４は、合成樹脂組成物から形成されている。図７に示される通り、リップ７４は、ボディ７２の下側に取り付けられている。リップ７４は、ヘッドの下方に位置している。リップ７４は、ルアー７０が泳ぐときの適切な水中姿勢に寄与する。
【００６９】
図７に示されるように、揺動部７６は、主空洞８４の内部に位置する。揺動部７６は、前後方向に延びている。揺動部７６は板状である。図７で示されるように、揺動部７６は、厚み方向に貫通する孔８８を備えている。
【００７０】
揺動部７６は、外部からの光を受けて光を放つ。この実施形態では、揺動部７６は、反射体である。すなわち、揺動部７６の表面は光を反射する。揺動部７６の表面は、光沢を有する。揺動部７６の表面に、着色や模様が施されてもよい。揺動部７６は、典型的には合成樹脂組成物から形成されている。揺動部７６が金属から形成されていてもよい。典型的な揺動部７６として、ホロプレートが例示される。揺動部７６が、蛍光体であってもよい。
【００７１】
図８には、図７の揺動部７６の前端の近辺が、拡大されて示されている。図８は、図７とルアー７０を見る方向が異なっている。図８において、矢印Ｘが示す方向がこのルアー７０の前方であり、その反対がルアー７０の後方である。矢印Ｙが示す方向がこのルアー７０の右方向であり、その反対がルアー７０の左方向である。矢印Ｚが示す方向がこのルアー７０の上方であり、その反対がルアー７０の下方である。
【００７２】
図７及び８で示されるように、揺動部７６は、前端部分及び後端部分に切り込み９０を備えている。図７で示されるように、前端部分及び後端部分のそれぞれについて、上方の端から延びる第一切り込み９０ａと、下方の端から延びる第二切り込み９０ｂとが設けられている。第一切り込み９０ａと第二切り込み９０ｂとで区切られた部分は、固定部９２と称される。図７で示されるように、固定部９２は、前後方向の端に位置する頭部９４と、頭部９４より幅の狭い首部９６とを備えている。
【００７３】
弾性体７８は、主空洞８４の内部に位置している。この実施形態では、弾性体７８はバネ７８である。図７に示されるように、揺動部７６の前方に位置する第一バネ７８ａと、揺動部７６の後方に位置する第二バネ７８ｂとが存在する。第一バネ７８ａ及び第二バネ７８ｂのそれぞれは、前後方向に延びている。
【００７４】
図８で示されるように、第一バネ７８ａの前端はリング状である。このリング９８が、掛け棒８６に掛けられている。図８で示されるように、第一バネ７８ａの後端は二重リング状である。この二重リング１００が、前端側の切り込み９０に挿入されている。この二重リング１００は、前端側の固定部９２の首部９６に掛けられている。第二バネ７８ｂの後端はリング９８状である。このリング９８が、掛け棒８６に掛けられている。第二バネ７８ｂの前端は二重リング状である。この二重リング１００が、後端側の切り込み９０に挿入されている。この二重リング１００は、後端側の固定部９２の首部９６に掛けられている。揺動部７６は、第一バネ７８ａと第二バネ７８ｂとの間に取り付けられている。 揺動部７６は、バネ７８により、ボディ７２に対して振動しうる。揺動部７６は、このバネ７８により前後上下左右に揺れ動くことができる。揺動部７６は、このバネ７８によりボディ７２に対して可動となっている。揺動部７６は、バネ７８を介して、ボディ７２に可動に取り付けられている。
【００７５】
図７で示されるように、この実施形態では、可動域制限機構８０として、揺動部７６に設けられた孔８８及び棒部１０２が設けられている。棒部１０２は、ボディ７２に固定されている。棒部１０２は、主空洞８４内で、左右方向に架け渡されている。棒部１０２は、揺動部７６の孔８８に通されている。棒部１０２の外径は、揺動部７６の孔８８の内径より小さい。ルアー７０が泳ぐ通常の姿勢において揺動部７６が静止しているときは、棒部１０２は、揺動部７６の孔８８の内面と接触していない。揺動部７６が動くと、揺動部７６は棒部１０２と接触しうる。棒部１０２は、揺動部７６の前後上下方向の可動範囲を制限する。棒部１０２は、ボディ７２の外部から、揺動部７６が視認できる程度に透明性を有する。
【００７６】
図示されないが、この実施形態では、可動域制限機構８０として、板部がさらに設けられている。主空洞８４の内部に、第一板部及び第二板部が位置している。揺動部７６の上下方向の中央近辺において、第一板部は、ボディ７２右側の内面から揺動部７６に向けて突出している。揺動部７６の上下方向の中央近辺において、第二板部は、ボディ７２左側の内面から、揺動部７６に向けて突出している。揺動部７６は、第一板部の揺動部７６側の端と、第二板部の揺動部７６側の端との隙間に位置している。ルアー７０が泳ぐ通常の姿勢において揺動部７６が静止しているときは、揺動部７６は板部と接触していない。揺動部７６が動くと、揺動部７６は板部と接触しうる。板部は、揺動部７６の左右方向の可動範囲を制限する。それぞれの板部は、ボディ７２の外部から、揺動部７６が視認できる程度に透明性を有する。
【００７７】
図９は、図７のルアー７０の、後方部分が示された断面図である。図９には、このルアー７０のテール１０４の部分が示されている。この図には、ルアー７０の遮蔽機構８２が示されている。この実施形態では、遮蔽機構８２は、副空洞１０６と、内気道１０８と、外気道１１０（図１０参照）と、孔塞ぎ機構１１２とを備える。
【００７８】
副空洞１０６は、ボディ７２のテール１０４の内部に位置している。副空洞１０６は、主空洞８４に隣接している。主空洞８４と副空洞１０６とを隔てる壁は、遮蔽壁１１４と称される。換言すれば、ボディ７２は、遮蔽壁１１４をさらに備えている。内気道１０８は、主空洞８４と副空洞１０６との間に位置する。内気道１０８は、遮蔽壁１１４を貫通している。内気道１０８は、主空洞８４と副空洞１０６とを繋ぐ孔である。外気道１１０は、副空洞１０６の後方に位置する。外気道１１０は、副空洞１０６と外部とを繋ぐ孔である。主空洞８４は、内気道１０８、副空洞１０６及び外気道１１０を通して、外部と繋がることができる。
【００７９】
孔塞ぎ機構１１２は、内蓋１１６、支部１１８、封止バネ１２０及び外栓１２２を備える。内蓋１１６は、封止板１２４と軸部１２６とを備える。図９に示されるように、封止板１２４は、前面が遮蔽壁１１４に沿っている。封止板１２４の前面は、遮蔽壁１１４と接触している。軸部１２６は、封止板１２４から後方に延びている。
【００８０】
支部１１８は、内蓋１１６の後方に位置している。支部１１８は、ボディ７２に固定されている。支部１１８は、前後方向に延びる孔１２８を備えている。内蓋１１６の軸部１２６は、この孔１２８に挿入されている。これにより、内蓋１１６は前後方向に移動可能に支部１１８に取り付けられている。
【００８１】
封止バネ１２０は、内蓋１１６と支部１１８との間に位置している。図９に示されるように、封止バネ１２０の内側には、軸部１２６が通されている。封止バネ１２０の前端は内蓋１１６と接触し、後端は支部１１８と接触している。封止バネ１２０は、内蓋１１６を内気道１０８側に押しつけている。図９に示された状態では、内蓋１１６は内気道１０８を塞いでいる。
【００８２】
外栓１２２は、キャップ部１３０と押圧軸１３２とを備える。キャップ部１３０は、ルアー７０の後側から、テール１０４に被せられる。これにより、キャップ部１３０は、外気道１１０を塞ぐ。押圧軸１３２は、キャップ部１３０から前方に延びている。押圧軸１３２は、外気道１１０に挿入されている。押圧軸１３２は、外気道１１０を貫通して、支部１１８の孔１２８に挿入される。押圧軸１３２は、内蓋１１６の軸部１２６と接触している。押圧軸１３２は、内蓋１１６を押さえている。外栓１２２は、テール１０４への取り付け及びテール１０４からの取の外しが自在である。外栓１２２は、テール１０４に脱着可能となっている。
【００８３】
このルアー７０では、遮蔽機構８２を使用することで、主空洞８４の内圧を大気圧より下げることができる。このために、真空器が使用される。外栓１２２をテール１０４から取り外し、真空器を使用して、外気道１１０から副空洞１０６内部の空気を吸引する。この吸引力が内蓋１１６を後方に動かす力は、封止バネ１２０が内蓋１１６を前方に押す力より大きい。内蓋１１６が後方（内気道１０８と反対側）に移動することで、内気道１０８は開いた状態となる。内気道１０８を通して主空洞８４と副空洞１０６とが繋がる。主空洞８４は、内気道１０８、副空洞１０６及び外気道１１０を通して、外部とつながる。この状態が、図１０（Ａ）に示されている。真空器を使用して、主空洞８４内部の空気を吸引することで、主空洞８４は減圧される。
【００８４】
主空洞８４が減圧された状態で、真空器からの吸引を止める。封止バネ１２０の力により、内蓋１１６は内気道１０８側に移動する。内蓋１１６が内気道１０８を塞ぐことで、主空洞８４は外部から遮蔽される。遮蔽機構８２は、主空洞８４が外部と繋がった状態から、主空洞８４を外部から遮蔽する。この状態が、図１０（Ｂ）に示されている。図９で示されるように、さらに外栓１２２がテール１０４に被せられる。外栓１２２の押圧軸１３２が、内蓋１１６の軸部１２６に接触する。外栓１２２の押圧軸１３２が、内蓋１１６を前方に押さえつけて固定する。これにより、主空洞８４が減圧された状態で維持される。このルアー７０では、主空洞８４が大気圧より減圧された状態が維持されうる。
【００８５】
このルアー７０では、主空洞８４内の気圧が、通常の大気圧と比べて減圧されうる。このルアー７０では、この減圧状態を保つために、ボディ７２の右側半分と左側半分とは、溶着または接着される。ボディ７２の右側半分と左側半分との接触部分が、ラバーでシールされていてもよい。
【００８６】
以下、本発明の作用効果が説明される。
【００８７】
本発明に係るルアー７０は、ボディ７２の主空洞８４内に、外部からの光を受けて光を放つ揺動部７６を備える。この揺動部７６は、反射体である。揺動部７６の表面は、光を反射する。ボディ７２は、主空洞８４内に光を通す程度に透明性を有する。揺動部７６が反射した光は、外部から視認されうる。揺動部７６が反射した光は、フィッシュイーターにアピールする。このルアー７０では、高いヒット率が期待できる。
【００８８】
このルアー７０の揺動部７６は、バネ７８を介してボディ７２に取り付けられている。釣り人がルアー７０を引いたとき、水や潮の流れが速いとき等のルアー７０の動作状態において、このバネ７８により揺動部７６は前後上下左右に揺れ動く。この揺動部７６の動きにより、光の反射の状態が変化する。揺動部７６が放つ光の見え方が変化する。揺動部７６は、瞬いているように見える。これは、フィッシュイーターに効果的にアピールする。このルアー７０では、高いヒット率が期待できる。
【００８９】
このルアー７０の揺動部７６は、バネ７８を介してボディ７２に可動に取り付けられている。釣り人がルアー７０を引くのを止めたとき、水や潮の流れが止まったとき等の、ルアー７０が動作状態から停止状態となったときも、このバネ７８はしばらく動く。この揺動部７６は、ルアー７０が動作状態から停止状態となったときも、しばらく前後上下左右に揺れ動く。このときも、揺動部７６は瞬いているように見える。この揺動部７６は、ルアー７０が停止状態となった後も、しばらくフィッシュイーターに効果的にアピールする。このルアー７０では、高いヒット率が期待できる。
【００９０】
このルアー７０は、主空洞８４が外部と繋がった状態からこの主空洞８４を外部から遮蔽しうる遮蔽機構８２を備えている。主空洞８４内の気体を外部から吸引し、この状態で主空洞８４を外部から遮蔽することで、この主空洞８４の内圧を大気圧より減圧することができる。減圧された主空洞８４内では、外部と比べて空気抵抗が小さい。揺動部７６は、より長い時間動くことができる。このルアー７０では、ルアー７０の動きが停止した後も、効果的にフィッシュイーターにアピールしうる。
【００９１】
揺動部７６は、第一バネ７８ａと第二バネ７８ｂとの間に取り付けられるのが好ましい。この実施形態では、揺動部７６は、前後から第一バネ７８ａと第二バネ７８ｂとに挟まれている。このようにすることで、揺動部７６の揺れが、大きくなり過ぎることが抑えられている。この揺動部７６は、高い周波数で揺れることができる。揺動部７６は、瞬いているように見える。これは、フィッシュイーターにより効果的にアピールする。このルアー７０では、高いヒット率が期待できる。
【００９２】
このルアー７０は、可動域制限機構８０を備えるのが好ましい。可動域制限機構８０により、揺動部７６が大きく動くことで、揺動部７６が主空洞８４内部の構造物に挟まることや、この構造物に引っかかることが防止される。揺動部７６が、通常ではない位置で固定されることが防止される。さらに、これらの可動域制限機構８０により、揺動部７６の揺れが大きくなり過ぎることが抑えられている。この揺動部７６は、高い周波数で揺れることができる。揺動部７６は、瞬いているように見える。これは、フィッシュイーターにより効果的にアピールする。このルアー７０では、高いヒット率が期待できる。
【００９３】
［第三の実施形態］
【００９４】
図１１（Ａ）及び（Ｂ）には、本発明のさらに他の実施形態に係るルアー１４０が示されている。これらは、ルアー１４０を左右の部分に分割したときの右側部分の、後方部分が拡大された断面図である。これらの図には、このルアー１４０のテール１４２の部分が示されている。図１１（Ａ）及び（Ｂ）において、矢印Ｘが示す方向がこのルアー１４０の前方であり、その反対がルアー１４０の後方である。矢印Ｚが示す方向がこのルアー１４０の上方であり、その反対がルアー１４０の下方である。紙面と垂直な方向がこのルアー１４０の左右方向である。
【００９５】
このルアー１４０は、ボディ１４４、ラインアイ、フックアイ、錘、揺動部、弾性体、可動域制限機構及び遮蔽機構１４６を備えている。このルアー１４０では、遮蔽機構１４６以外の部材の構造は、図２−４のルアー２のそれらと同じである。
【００９６】
図１１（Ａ）及び（Ｂ）には、遮蔽機構１４６が示されている。この実施形態では、遮蔽機構１４６は、副空洞１４８と、内気道１５０と、外気道１５２と、孔塞ぎ機構１５４とを備える。
【００９７】
副空洞１４８は、ボディ１４４のテール１４２の内部に位置している。副空洞１４８は、主空洞１５６に隣接している。主空洞１５６と副空洞１４８を隔てる壁は、遮蔽壁１５８と称される。換言すれば、ボディ１４４は、遮蔽壁１５８を備えている。副空洞１４８は、前部１６０と後部１６２と中間気道１６４とを備えている。前部１６０は、主空洞１５６と隣接している。後部１６２は、前部１６０の後方に位置している。中間気道１６４は、前部１６０と後部１６２との間に位置している。中間気道１６４は、前部１６０と後部１６２とを繋ぐ孔である。
【００９８】
内気道１５０は、主空洞１５６と副空洞１４８との間に位置する。内気道１５０は、遮蔽壁１５８を貫通している。内気道１５０は、主空洞１５６と副空洞１４８とを繋ぐ孔である。外気道１５２は、副空洞１４８の後方に位置する。外気道１５２は、副空洞１４８と外部とを繋ぐ孔である。主空洞１５６は、内気道１５０、副空洞１４８及び外気道１５２を通して、外部と繋がることができる。
【００９９】
孔塞ぎ機構１５４は、ボディ１４４に設けられた孔１６６、内蓋１６８及びＯリング１７０から構成されている。孔１６６は、外部から副空洞１４８に至っている。図１１（Ａ）に示されるように、孔１６６の内壁と遮蔽壁１５８の後ろ側の面は、連続している。内蓋１６８は、外部から孔１６６に差し込まれる。図１１（Ａ）には、内蓋１６８の一部が孔１６６に差し込まれているが、この内蓋１６８が内気道１５０まで到達していない状態が示されている。このとき、内蓋１６８は内気道１５０を塞いでいない。内気道１５０は、開いている。この状態では、主空洞１５６は、副空洞１４８と繋がっている。この状態では、主空洞１５６は、内気道１５０、副空洞１４８及び外気道１５２を通して、外部と繋がっている。図１１（Ｂ）示されるように、内蓋１６８が内気道１５０を覆う位置まで孔１６６に差し込まれたとき、内蓋１６８は、内気道１５０を塞ぐ。主空洞１５６は、外部から遮蔽されている。Ｏリング１７０は、孔１６６の内面に取り付けられている。図１１（Ａ）の状態において、Ｏリング１７０は、孔１６６の内面と内蓋１６８との隙間を塞いでいる。
【０１００】
この実施形態では、内蓋１６８が孔１６６に差し込まれるとき、内蓋１６８の外面には溶剤が塗布されている。図１１（Ｂ）の状態まで内蓋１６８を孔１６６に差し込みこの状態を維持することで、この溶剤は内蓋１６８の外面及び孔１６６の内面を溶かす。これにより、内蓋１６８の外面と孔１６６の内面とが接合される。この内蓋１６８及びテール１４２の材質として、ＡＢＳ樹脂が例示される。溶剤として、メチルエチルケトンが例示される。内蓋１６８の外面と孔１６６の内面とが、接着剤で接合されてもよい。
【０１０１】
このルアー１４０では、遮蔽機構１４６を使用することで、主空洞１５６の内圧を大気圧より下げることができる。このために、真空器が使用される。図１１（Ａ）に示された、主空洞１５６が外部と繋がっている状態で、真空器を使用して、外気道１５２から主空洞１５６内部の空気を吸引する。これにより、主空洞１５６は減圧される。この状態で、内蓋１６８が図１１（Ｂ）で示される位置まで差し込まれる。内蓋１６８が内気道１５０を塞ぐことで、主空洞１５６は外部から遮蔽される。遮蔽機構１４６は、主空洞１５６が外部と繋がった状態から、主空洞１５６を外部から遮蔽する。これにより、真空器を外しても主空洞１５６が減圧された状態で維持される。このルアー１４０では、主空洞１５６が大気圧より減圧された状態が維持されうる。
【０１０２】
このルアー１４０では、遮蔽機構１４６を使用することで、主空洞１５６に低比重ガスを封入することができる。このために、いずれも図示されない真空器、低比重ガスが格納されたボンベ及び切り替え弁が使用される。真空器とボンベとは、切り替え弁を介して、外気道１５２に接続される。切り替え弁により、真空器が外気道１５２と繋がり、ボンベが外気道１５２と遮断された状態とされる。図１１（Ａ）に示された、主空洞１５６が外部と繋がっている状態で、真空器を使用して、外気道１５２から主空洞１５６内部の空気を吸引する。切り替え弁を切り替えて、ボンベが外気道１５２と繋がり、真空器が外気道１５２と遮断された状態とされる。ボンベから、主空洞１５６に、低比重ガスが充填される。このとき、通常は、主空洞２４の内圧は、大気圧と同等か、又は大気圧より小さくされる。この状態で、内蓋１６８が図１１（Ｂ）で示される位置まで差し込まれる。内蓋１６８が内気道１５０を塞ぐことで、主空洞１５６は外部から遮蔽される。これにより、主空洞１５６に低比重ガスが封入される。
【０１０３】
このルアー１４０の揺動部は、バネを介してボディ１４４に可動に取り付けられている。釣り人がルアー１４０を引くのを止めたとき、水や潮の流れが止まったとき等の、ルアー１４０が動作状態から停止状態となったときも、このバネはしばらく動く。さらに、このルアー１４０は、主空洞１５６が外部と繋がった状態からこの主空洞１５６を外部から遮蔽しうる遮蔽機構１４６を備えている。主空洞１５６内の気体を外部から吸引し、この状態で主空洞１５６を外部から遮蔽することで、この主空洞１５６の内圧を大気圧より減圧することができる。または、主空洞１５６内に低比重ガスを送り込み、この状態で主空洞１５６を外部から遮蔽することで、この主空洞１５６に低比重ガスを封入することができる。これらの主空洞１５６内では、揺動部が動くとき揺動部が主空洞１５６内の気体から受ける抵抗が少ないため、揺動部はより長い時間動くことができる。このルアー１４０では、ルアー１４０の動きが停止した後も、効果的にフィッシュイーターにアピールしうる。
【０１０４】
［第四の実施形態］
【０１０５】
図１２（Ａ）及び（Ｂ）には、本発明のさらに他の実施形態に係るルアー１８０が示されている。これらは、ルアー１８０を左右の部分に分割したときの右側部分の、後方部分が拡大された断面図である。図１２（Ａ）及び（Ｂ）において、矢印Ｘが示す方向がこのルアー１８０の前方であり、その反対がルアー１８０の後方である。矢印Ｚが示す方向がこのルアー１８０の上方であり、その反対がルアー１８０の下方である。紙面と垂直な方向がこのルアー１８０の左右方向である。
【０１０６】
このルアー１８０は、ボディ１８２、ラインアイ、フックアイ、錘、揺動部、弾性体、可動域制限機構及び遮蔽機構１８４を備えている。このルアー１８０では、ボディ１８２及び遮蔽機構１８４以外の部材の構造は、図１のルアー２のそれらと同様である。
【０１０７】
ボディ１８２は、ベイトである小魚に類似の外形を有する。ボディ１８２は、硬質な材料から形成されている。典型的には、ボディ１８２は、合成樹脂組成物から形成されている。ボディ１８２が、エラストマーのような軟質な材料から形成されてもよい。このルアー１８０では、ボディ１８２は、主部１８６と副部１８８とを備えている。図１２（Ａ）及び（Ｂ）で示されるのは、この主部１８６と副部１８８との境界の部分である。
【０１０８】
図１２（Ａ）及び（Ｂ）に示されるように、主部１８６は、内部に主空洞１９０を備える。この主部１８６は、この主空洞１９０に光を通す程度に透明性を有する。これにより、主空洞１９０内の揺動部は、外部から視認できる。このボディ１８２では、この揺動部からの光が外部から視認できる。副部１８８は主部１８６の後方に位置している。副部１８８は、内部に副空洞１９２を備える。主部１８６の副部１８８側の壁は、主隔壁１９４と称される。副部１８８の主部１８６側の壁は、副隔壁１９６と称される。主隔壁１９４と副隔壁１９６とは対向している。
【０１０９】
このルアー１８０では、遮蔽機構１８４は、上記の副空洞１９２と、主部孔１９８と、副部孔２００と、取付部２０２と、Ｏリング２０４と、図示されない外気道とで構成されている。主部孔１９８は、主隔壁１９４に設けられている。主部孔１９８は、主隔壁１９４を貫通して、主空洞１９０に至っている。副部孔２００は、副隔壁１９６に設けられている。副部孔２００は、副隔壁１９６を貫通して、副空洞１９２に至っている。取付部２０２は、主空洞１９０から主隔壁１９４及び副隔壁１９６を貫通して、副空洞１９２に至っている。副部１８８は、取付部２０２により主部１８６に取り付けられている。副部１８８は、取付部２０２を中心に、回転することができる。副部１８８は、主部１８６に対して回転可能となっている。Ｏリング２０４は、主隔壁１９４と副隔壁１９６との間に位置している。Ｏリング２０４は、主隔壁１９４に取り付けられている。Ｏリング２０４は、主部孔１９８の開口の周囲を囲むように、主隔壁１９４に取り付けられている。図示されない外気道は、副空洞１９２を外部と繋いでいる。
【０１１０】
図１２（Ａ）に示されるように、主部孔１９８の位置と副部孔２００の位置とは合わせることができる。このとき、主部孔１９８と副部孔２００とを通して、主空洞１９０と副空洞１９２とは繋がる。このとき、主部孔１９８と副部孔２００とは、主空洞１９０と副空洞１９２を繋ぐ内気道を形成する。主空洞１９０は、この内気道、副空洞１９２及び外気道を通して、外部と繋がる。図１２（Ｂ）に示されるように、副部１８８を回転させて、主部孔１９８の位置と副部孔２００の位置とをずらすことで、主空洞１９０と副空洞１９２とは隔てられる。主空洞１９０と副空洞１９２とを繋ぐ内気道は、なくなる。主空洞１９０は、外部から遮蔽される。
【０１１１】
このルアー１８０では、遮蔽機構１８４を使用することで、主空洞１９０の内圧を大気圧より下げることができる。このために、真空器が使用される。図１２（Ａ）に示された、主空洞１９０が外部と繋がっている状態で、外気道から真空器を使用して、主空洞１９０内部の空気を吸引する。これにより、主空洞１９０は減圧される。この状態で、副部１８８が回転される。図１２（Ｂ）に示されるように、内気道がなくなり、主空洞１９０は外部から遮蔽される。遮蔽機構１８４は、主空洞１９０が外部と繋がった状態から、主空洞１９０を外部から遮蔽する。これにより、真空器を外しても主空洞１９０が減圧された状態で維持される。このルアー１８０では、主空洞１９０が大気圧より減圧された状態が維持されうる。
【０１１２】
このルアー１８０では、内気道が形成され主空洞１９０が外部と繋がっている状態で、主空洞１９０に低比重ガスを充填し、内気道をなくすことで、主空洞１９０に低比重ガスを封入することもできる。
【０１１３】
このルアー１８０の揺動部は、バネを介してボディ１８２に可動に取り付けられている。釣り人がルアー１８０を引くのを止めたとき、水や潮の流れが止まったとき等の、ルアー１８０が動作状態から停止状態となったときも、このバネはしばらく動く。さらにこのルアー１８０は、主空洞１９０が外部と繋がった状態からこの主空洞１９０を外部から遮蔽しうる遮蔽機構１８４を備えている。主空洞１９０内の気体を外部から吸引し、この状態で主空洞１９０を外部から遮蔽することで、この主空洞１９０の内圧を大気圧より減圧することができる。または、主空洞１９０内に低比重ガスを送り込み、この状態で主空洞１９０を外部から遮蔽することで、この主空洞１９０にこの気体を封入することができる。これらの主空洞１９０内では、揺動部が動くとき揺動部が主空洞１９０内の気体から受ける抵抗が少ない。揺動部は、より長い時間動くことができる。このルアー１８０では、ルアー１８０の動きが停止した後も、効果的にフィッシュイーターにアピールしうる。
【０１１４】
［第五の実施形態］
【０１１５】
図１３には、本発明のさらに他の実施形態に係るルアー２１０が示されている。図１３は、ルアー２１０を左右の部分に分割したときの右側部分の、前方部分が拡大された分解図である。この図では、ルアー２１０の左半分を取り付けたときこの左半分と接触する部分には、ハッチがかけられている。図１３において、矢印Ｘが示す方向がこのルアー２１０の前方であり、その反対がルアー２１０の後方である。矢印Ｚが示す方向がこのルアー２１０の上方であり、その反対がルアー２１０の下方である。紙面と垂直な方向がこのルアー２１０の左右方向である。
【０１１６】
このルアー２１０は、ボディ２１２、リップ２１４、ラインアイ、フックアイ、フック、錘、揺動部２１６、弾性体２１８、可動域制限機構２２０及び遮蔽機構を備えている。このルアー２１０では、弾性体２１８以外の部材の構造は、図７のルアー７０のそれらと同じである。
【０１１７】
弾性体２１８は、主空洞２２２の内部に位置している。この実施形態では、弾性体２１８はゴム２１８である。図１３に示されるように、揺動部２１６の前方に位置する第一ゴム２１８ａと、揺動部２１６の後方に位置する第二ゴム２１８ｂとが存在する。第一ゴム２１８ａ及び第二ゴム２１８ｂのそれぞれは、前後方向に延びている。
【０１１８】
第一ゴム２１８ａの前端は、リング状となっている。このリングが、掛け棒２２４に掛けられている。第一ゴム２１８ａの後端は、リング状となっている。このリングが、前端側の切り込み２２６に挿入されている。このリングは、前端側の固定部２２８の首部に掛けられている。第二ゴム２１８ｂの後端は、リング状となっている。このリングが、掛け棒２２４に掛けられている。第二ゴム２１８ｂの前端は、リング状となっている。このリングが、後端側の切り込み２２６に挿入されている。このリングは、後端側の固定部２２８の首部に掛けられている。揺動部２１６は、第一ゴム２１８ａと第二ゴム２１８ｂとの間に取り付けられている。 揺動部２１６は、ゴム２１８により、ボディ２１２に対して振動しうる。揺動部２１６は、このゴム２１８により前後上下左右に揺れ動くことができる。揺動部２１６は、このゴム２１８によりボディ２１２に対して可動となっている。揺動部２１６は、ゴム２１８を介して、ボディ２１２に可動に取り付けられている。
【０１１９】
このルアー２１０は、ボディ２１２の主空洞２２２内に、外部からの光を受けて光を放つ揺動部２１６を備える。この揺動部２１６は、反射体である。揺動部２１６の表面は、光を反射する。ボディ２１２は、主空洞２２２内に光を通す程度に透明性を有する。揺動部２１６が反射した光は、外部から視認されうる。揺動部２１６が反射した光は、フィッシュイーターにアピールする。このルアー２１０では、高いヒット率が期待できる。
【０１２０】
このルアー２１０の揺動部２１６は、ゴム２１８を介してボディ２１２に取り付けられている。釣り人がルアー２１０を引いたとき、水や潮の流れが速いとき等のルアー２１０の動作状態において、このゴム２１８により揺動部２１６は前後上下左右に揺れ動く。この揺動部２１６の動きにより、光の反射の状態が変化する。揺動部２１６が放つ光の見え方が変化する。揺動部２１６は、瞬いているように見える。これは、フィッシュイーターに効果的にアピールする。このルアー２１０では、高いヒット率が期待できる。
【０１２１】
このルアー２１０の揺動部２１６は、ゴム２１８を介してボディ２１２に可動に取り付けられている。釣り人がルアー２１０を引くのを止めたとき、水や潮の流れが止まったとき等の、ルアー２１０が動作状態から停止状態となったときも、このゴム２１８により、しばらく前後上下左右に揺れ動く。このときも、揺動部２１６は瞬いているように見える。この揺動部２１６は、ルアー２１０が停止状態となった後も、しばらくフィッシュイーターに効果的にアピールする。このルアー２１０では、高いヒット率が期待できる。
【０１２２】
［その他の実施形態］
【０１２３】
遮蔽機構は、上述の実施形態に限られない。遮蔽機構により、主空洞が外部と繋がった状態からこの主空洞を外部から遮蔽できればよい。これにより、主空洞が外部と繋がった状態において主空洞の内部を減圧し、主空洞を外部から遮蔽することで、この主空洞が減圧された状態が維持できる。または、主空洞が外部と繋がった状態において主空洞の内部に低比重ガスを充填し、主空洞を外部から遮蔽することで、この主空洞に低比重ガスを封入できる。
【０１２４】
ルアーが遮蔽機構を有することなく、主空洞が減圧されていてもよい。この場合、大気圧より減圧された主空洞を得る方法の一例として、大気圧より減圧された雰囲気中でルアーを組み立てる方法がある。例えばルアーを右半分と左半分とに分割しておき、大気圧より減圧された容器の中で、右半分と左半分とが溶着される。溶着後の主空洞を外部と遮蔽された構造とすることで、主空洞は、減圧された状態が維持できる。
【０１２５】
ルアーが遮蔽機構を有することなく、主空洞に低比重ガスが封入されていてもよい。この場合、低比重ガスが封入された主空洞を得る方法の一例として、低比重ガスの雰囲気中でルアーを組み立てる方法がある。例えばルアーを右半分と左半分とに分割しておき、低比重ガスが充填された容器の中で、右半分と左半分とが溶着される。溶着後の主空洞を外部と遮蔽された構造とすることで、主空洞に低比重ガスが封入できる。
【０１２６】
揺動部をボディに可動に取り付ける方法は、上述の実施形態に限られない。例えば、揺動部が、ヒンジを介してボディに取り付けられてもよい。揺動部が、自在継手を介してボディに取り付けられてもよい。ルアーが動作状態から停止状態となった後もしばらく揺動部がボディに対して動くように、揺動部がボディに取り付けられていればよい。
【０１２７】
以上では、魚用のルアーでの実施形態を挙げて、本発明が説明された。ここでは挙げられていないが、本発明は、エギ等の、魚以外の魚介類用のルアーにも適用できる。
【０１２８】
以上説明されたように、本発明に係るルアーは、揺動部が動くことで効果的にフィッシュイーターにアピールできる。このルアーでは、主空洞を大気圧より減圧することができる。これにより揺動部は、ルアーの動きが停止した後もより長い時間動くことができる。このルアーでは、ルアーの動きが停止した後も、効果的にフィッシュイーターにアピールしうる。このことから本発明の優位性は明らかである。
【産業上の利用可能性】
【０１２９】
本発明に係るルアーは、湖沼、池、ダム、川、海等の種々のフィールドでの釣りに適している。
【符号の説明】
【０１３０】
２、７０、１４０、１８０、２１０・・・ルアー
４、７２、１４４、１８２、２１２・・・ボディ
６・・・ラインアイ
８・・・フックアイ
１０・・・フック
１２、７６、２１６・・・揺動部
１４、７８・・・バネ
１６、８０、２２０・・・可動域制限機構
１８、８２、１４６、１８４・・・遮蔽機構
２０・・・ヘッド
２２、１０４、１４２・・・テール
２４、８４、１５６、１９０、２２２・・・主空洞
２６、８６、２２４・・・掛け棒
２８・・・ライン
３０、８８・・・揺動部の孔
３４、９０、２２６・・・切り込み
３６、９２、２２８・・・固定部
４２・・・板部
４４、１０２・・・棒部
４６、１０６、１４８、１９２・・・副空洞
４８、１０８、１５０・・・内気道
５０、１１０、１５２・・・外気道
５２、１１２、１５４・・・孔塞ぎ機構
５４、１１４、１５８・・・遮蔽壁
６２、１１６、１６８・・・内蓋
６４・・・ネジ
６６、１６６・・・孔
７４、２１４・・・リップ
９８・・・リング
１００・・・二重リング
１１８・・・支部
１２０・・・封止バネ
１２２・・・外栓
１２４・・・封止板
１２６・・・軸部
１２８・・・支部の孔
１３０・・・キャップ部
１３２・・・押圧軸
１７０、２０４・・・Ｏリング
１８６・・・主部
１８８・・・副部
１９４・・・主隔壁
１９６・・・副隔壁
１９８・・・主部孔
２００・・・副部孔
２０２・・・取付部
２１８・・・ゴム
【図１】
2020191816.tif 000003
【図２】
2020191816.tif 000004
【図３】
2020191816.tif 000005
【図４】
2020191816.tif 000006
【図５】
2020191816.tif 000007
【図６】
2020191816.tif 000008
【図７】
2020191816.tif 000009
【図８】
2020191816.tif 000010
【図９】
2020191816.tif 000011
【図１０】
2020191816.tif 000012
【図１１】
2020191816.tif 000013
【図１２】
2020191816.tif 000014
【図１３】
2020191816.tif 000015